(57)【要約】【課題】使用中に滑りにくい介護時や医療時に使用される医療用シートなどの医療用のシートや、内容物を収容して積み重ねても滑りにくい袋に使用される製袋用シートなどの多層シート及びその製造方法を提供すること。【解決手段】晒クラフト紙層４を形成する晒クラフト紙に必要な印刷を施し、これに溶融した状態の熱いポリエチレン系樹脂を主成分とする低密度ポリエチレン樹脂をラミネート加工により積層して、最上層の低密度ポリエチレン層６と、印刷層５と、前記晒クラフト紙層４とを形成した一方の基材を製造する。そして、この一方の基材を繰り出すと共に他方の基材である繊維直交積層不織布（又は低密度ポリエチレン製のシート）を繰り出しつつ、溶融した状態の熱いポリエチレン系樹脂を主成分とする低密度ポリエチレン樹脂をフィルム状に押し出して押出ラミネート加工により接着して貼り合わせて、冷却ロールで冷却して固化して多層シート１を作製する。【選択図】図１
2017140790.tif 000002
【特許請求の範囲】
【請求項１】
最下層の不織布層と、この不織布層の上のポリエチレン系樹脂を主成分とする低密度ポリエチレン層と、この低密度ポリエチレン層の上のクラフト紙層と、このクラフト紙層の上に必要な場合に施される印刷層と、この印刷層の上の最上層であるポリエチレン系樹脂を主成分とする低密度ポリエチレン層とから構成されることを特徴とする多層シート。
【請求項２】
最下層のポリエチレン系樹脂を主成分とする第１低密度ポリエチレン層と、この第の低密度ポリエチレン層の上のポリエチレン系樹脂を主成分とする第２低密度ポリエチレン層と、この第２低密度ポリエチレン層の上のクラフト紙層と、このクラフト紙層の上に必要な場合に施される印刷層と、この印刷層の上の最上層であるポリエチレン系樹脂を主成分とする第３低密度ポリエチレン層とから構成されることを特徴とする多層シート。
【請求項３】
クラフト紙層を形成するクラフト紙に必要な場合には印刷を施し又は必要無い場合には印刷を施さずに、これにポリエチレン系樹脂を主成分とする低密度ポリエチレン樹脂層を積層した一方の基材を繰り出すと共に他方の基材である不織布又は低密度ポリエチレン製のシートを繰り出しつつ、溶融した状態のポリエチレン系樹脂を主成分とする低密度ポリエチレン樹脂を押し出してラミネート加工して貼りあわせて積層することを特徴とする多層シートの製造方法。
【請求項４】
クラフト紙層を形成するクラフト紙に必要な場合には印刷を施し又は必要無い場合には印刷を施さずに、これにポリエチレン系樹脂を主成分とする低密度ポリエチレン樹脂層を積層した一方の基材を製造し、
この一方の基材を繰り出すと共に他方の基材である不織布を繰り出しつつ、溶融した状態のポリエチレン系樹脂を主成分とする低密度ポリエチレン樹脂を押し出してラミネート加工して貼りあわせて積層することを特徴とする多層シートの製造方法。
【請求項５】
クラフト紙層を形成するクラフト紙に必要な場合には印刷を施し又は必要無い場合には印刷を施さずに、これにポリエチレン系樹脂を主成分とする低密度ポリエチレン樹脂層を積層した一方の基材を製造し、
この一方の基材を繰り出すと共に他方の基材である低密度ポリエチレン製のシートを繰り出しつつ、溶融した状態のポリエチレン系樹脂を主成分とする低密度ポリエチレン樹脂を押し出してラミネート加工して貼りあわせて積層することを特徴とする多層シートの製造方法。
【発明の詳細な説明】
【技術分野】
【０００１】
本発明は、防滑性に優れる多層シート及びその製造方法に関する。詳述すると、使用中に滑りにくい介護時や医療時に使用される医療用シートや、例えば粉体などを収容して積み重ねても滑りにくい袋の製造に使用される製袋用シートなどの多層シート及び多層シートの製造方法に関するものである。
【背景技術】
【０００２】
前記医療用シートは、例えば特許文献１にて提案されているが、この文献によると、この医療用シートは吸水性を有する衛生紙層と、撥水・防水性を有するポリエチレン系樹脂を主成分とする層とから構成されるものである。
【先行技術文献】
【特許文献】
【０００３】
【特許文献１】実用新案登録第３０６８６９２号公報
【発明の概要】
【発明が解決しようとする課題】
【０００４】
しかしながら、前記医療用シートを低密度のポリエチレン系樹脂を主成分とする層が床面に接するように配置すると、確かにこの医療用シートが床面との間で滑りにくくなりますが、使用者が滑りやすいという問題があり、また粉体などを収容する袋に使用した場合には、この袋を積み重ねたときに滑って落下してしまうという問題があった。
【０００５】
そこで本発明は、上記問題点に鑑み、使用中に滑りにくい介護時や医療時に使用される医療用シートなどの医療用のシートや、内容物を収容して積み重ねても滑りにくい袋に使用される製袋用シートなどの多層シート及びその製造方法を提供することを目的とする。
【課題を解決するための手段】
【０００６】
このため第１の多層シートに係る発明は、最下層の不織布層と、この不織布層の上のポリエチレン系樹脂を主成分とする低密度ポリエチレン層と、この低密度ポリエチレン層の上のクラフト紙層と、このクラフト紙層の上に必要な場合に施される印刷層と、この印刷層の上の最上層であるポリエチレン系樹脂を主成分とする低密度ポリエチレン層とから構成されることを特徴とする。
【０００７】
また第２の多層シートに係る発明は、最下層のポリエチレン系樹脂を主成分とする第１低密度ポリエチレン層と、この第の低密度ポリエチレン層の上のポリエチレン系樹脂を主成分とする第２低密度ポリエチレン層と、この第２低密度ポリエチレン層の上のクラフト紙層と、このクラフト紙層の上に必要な場合に施される印刷層と、この印刷層の上の最上層であるポリエチレン系樹脂を主成分とする第３低密度ポリエチレン層とから構成されることを特徴とする。
【０００８】
また更に第３の多層シートの製造方法に係る発明は、クラフト紙層を形成するクラフト紙に必要な場合には印刷を施し又は必要無い場合には印刷を施さずに、これにポリエチレン系樹脂を主成分とする低密度ポリエチレン樹脂層を積層した一方の基材を繰り出すと共に他方の基材である不織布又は低密度ポリエチレン製のシートを繰り出しつつ、溶融した状態のポリエチレン系樹脂を主成分とする低密度ポリエチレン樹脂を押し出してラミネート加工して貼りあわせて積層することを特徴とする。
【０００９】
第４の多層シートに係る発明は、クラフト紙層を形成するクラフト紙に必要な場合には印刷を施し又は必要無い場合には印刷を施さずに、これにポリエチレン系樹脂を主成分とする低密度ポリエチレン樹脂層を積層した一方の基材を製造し、
この一方の基材を繰り出すと共に他方の基材である不織布を繰り出しつつ、溶融した状態のポリエチレン系樹脂を主成分とする低密度ポリエチレン樹脂を押し出してラミネート加工して貼りあわせて積層することを特徴とする。
【００１０】
更に第５の多層シートに係る発明は、クラフト紙層を形成するクラフト紙に必要な場合には印刷を施し又は必要無い場合には印刷を施さずに、これにポリエチレン系樹脂を主成分とする低密度ポリエチレン樹脂層を積層した一方の基材を製造し、
この一方の基材を繰り出すと共に他方の基材である低密度ポリエチレン製のシートを繰り出しつつ、溶融した状態のポリエチレン系樹脂を主成分とする低密度ポリエチレン樹脂を押し出してラミネート加工して貼りあわせて積層することを特徴とする。
【発明の効果】
【００１１】
本発明は、使用中に滑りにくい介護時や医療時に使用される医療用シートなどの医療用のシートや、内容物を収容して積み重ねても滑りにくい袋に使用される製袋用シートなどの多層シート及びその製造方法を提供することができる。
【図面の簡単な説明】
【００１２】
【図１】本発明の実施形態を示す縦断面図である。
【発明を実施するための形態】
【００１３】
以下、使用中に滑りにくい介護時や医療時に使用される医療用シートの実施形態である多層シート１について、図１に基づいて説明する。前記多層シート１は、床面に接する最下層の不織布層２と、この不織布層２の上のポリエチレン系樹脂を主成分とする低密度ポリエチレン層３と、この低密度ポリエチレン層３の上の晒クラフト紙層４と、この晒クラフト紙層４の上の印刷層５と、最上層のポリエチレン系樹脂を主成分とする低密度ポリエチレン層６とから構成される。
【００１４】
先ず、最下層の前記不織布層２は、例えばＪＸ  ＡＮＣＩ株式会社製のワリフ（登録商標）のポリオレフィン製の繊維直交積層不織布を使用して形成する。この不織布は、ポリオレフィン製のフィルムを割繊・延伸し、直交積層することで製造されるもので、秤量は例えば１８ｇ／ｍ2〜４７ｇ／ｍ2のものを使用する。
【００１５】
なお、前述した不織布に代えて、ポリエチレン系樹脂を主成分とする低密度ポリエチレン製のシートを使用して、低密度ポリエチレン層を形成してもよい。即ち、例えばＭＦＲが８ｇ／１０分、密度が０．９１８ｇ／ｃｍ3、ダイスウェル比が１．９２である低密度ポリエチレン製のシート（東ソー株式会社製の商品名ペトロセン２０３）を使用して形成してもよい。このシートの秤量は、例えば１０ｇ／ｍ2〜５２ｇ／ｍ2のものを使用する。この低密度ポリエチレンは、結晶性の熱可塑性樹脂に属する合成樹脂であり、他のポリエチレンと比較して、軟らかい性質を有する。
【００１６】
なお、前述した最下層は、いずれを使用しても、製品強度を高めるために、使用するものである。従って、使用する製品に応じて、製品強度を設計し、適切な秤量を選定する。また、防滑性が高く、使用に際して、床面との間で、滑りにくい。また、低密度ポリエチレンの商品名ペトロセン２０３の方が、前述したポリオレフィン製の繊維直交積層不織布よりも防滑性が高く、且つ安価である。
【００１７】
次層のポリエチレン系樹脂を主成分とする低密度ポリエチレン層３は、最下層の不織布層（又は低密度ポリエチレン層）２と前記晒クラフト紙層４とを接着させるために使用されて形成される。そして、低密度ポリエチレン層３は、厚さが例えば１３ミクロン（「μｍ」。以下同じ。）以上〜３０ミクロン以下であって、この１３ミクロンより薄いと使用による摩擦などで擦れてはげてしまい、３０ミクロンより厚すぎると製造コストが高くなるからである。
【００１８】
前述した晒クラフト紙層４は、茶色のクラフト紙を漂白した紙で、白いのでどのような印刷にも適しており、また繊維が長いので丈夫な紙で製袋紙としても適している。本実施形態では、この晒クラフト紙層４は、秤量が例えば５０ｇ／ｍ2以上〜１２０ｇ／ｍ2以下のものを使用するが、用途に応じて重量を選定します。
【００１９】
なお、特に強度を高めるために、晒クラフト紙に代えて、未晒クラフト紙を使用してもよい。
【００２０】
前記印刷層５は、前記晒クラフト紙層４の上に形成されるが、購入者・使用者の要望により必要に応じて前記晒クラフト紙に印刷することにより、形成されるものである。必要無い場合には、必ずしも形成しなくともよい。
【００２１】
最上層のポリエチレン系樹脂を主成分とする低密度ポリエチレン層６は、防滑性が高く、厚さが例えば１３ミクロン以上〜３０ミクロン以下であって、この１３ミクロンより薄いと摩擦などで擦れてはげてしまい、３０ミクロンより厚すぎると製造コストが高くなるからである。
【００２２】
次に、本発明の実施形態に係る多層シート１の製造方法について、説明する。先ず、前記晒クラフト紙層４を形成する晒クラフト紙に必要な印刷を施し、これに溶融した状態の熱いポリエチレン系樹脂を主成分とする低密度ポリエチレン樹脂をラミネート加工により積層して、最上層の前記低密度ポリエチレン層６と、前記印刷層５と、前記晒クラフト紙層４とを形成した一方の基材を製造する。
【００２３】
なお、前述したように、前記印刷層５は必ずしも形成しなくともよい。また、最上層の前記低密度ポリエチレン層６、必要な場合に形成される前記印刷層５、前記晒クラフト紙層４から成る前記一方の基材の製造方法は、必ずしも前述したものに限らず、他の製造方法でもよい。即ち、晒クラフト紙に必要な印刷を施し、ポリエチレン系樹脂を主成分とする低密度ポリエチレン樹脂製のシートを積層して、最上層の前記低密度ポリエチレン層６と、前記印刷層５と、前記晒クラフト紙層４とを形成した一方の基材を製造してもよい。
【００２４】
そして、前述したように三層（又は二層）に積層された前記一方の基材を繰り出すと共に他方の基材である前記繊維直交積層不織布（又は前述した低密度ポリエチレン製のシート）を繰り出しつつ、溶融した状態の熱いポリエチレン系樹脂を主成分とする低密度ポリエチレン樹脂をＴダイからフィルム状に押し出して押出ラミネート加工により接着して貼り合わせて、冷却ロールで冷却して固化して、前記一方の三層（又は二層）に積層された基材に更にポリエチレン系樹脂を主成分とする低密度ポリエチレン層３と、前記不織布層（又は低密度ポリエチレン層）２とを積層して、全体として５層から成る多層シート１を作製する。
【００２５】
このように作製された多層シート１を適宜な広さ（大きさ）にして、使用中に滑りにくい介護時や医療時に使用される介護用のシート、医療用のシートとして使用する。従って、使用者はこの医療用シートなどの上を滑りにくく、怪我をすることなく、またこの医療用シートなどが床面を滑りにくいため、安心して使用することができる。
【００２６】
なお、介護用のシートや医療用のシートばかりか、袋の製造に使用される製袋用シートとして使用した場合には、内容物（例えば、粉体など）を収容した状態の袋を積み重ねても、滑って落下してしまうということがなくなる。この袋に使用した場合は、最上層が表層となり、最下層が裏層となるものである。
【００２７】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２８】
１          多層シート
２          不織布層
３          低密度ポリエチレン層
４          晒クラフト紙層
５          印刷層
６          低密度ポリエチレン層
【図１】
2017140790.tif 000003